(57)【要約】      （修正有）【課題】光を照射することで、植物の成長速度を大幅に向上させるとともに、放熱性を効果的に改善して、耐用年数を延長させる植物育成用ランプを提供する。【解決手段】ランプ本体１、ランプ本体内に設けられる駆動電源、ＬＥＤ発光体２及び放熱部を備え、ＬＥＤ発光体は基板、基板に設けられる複数のＬＥＤランプビーズを含み、ＬＥＤ発光体はスペクトルコントローラにより制御されて、規則的な各種パルス周期的スペクトル光信号を発生させ、ＬＥＤランプビーズは基板を介して放熱部に接続される。放熱部は、中空構造を有する円柱部と円柱部の外周に分布している複数の放熱フィンとを含み、ランプ本体には複数の放熱孔５が設けられる。【選択図】図１
0003215503.tif 000002
【実用新案登録請求の範囲】
【請求項１】
ランプ本体、前記ランプ本体内に設けられる駆動電源、ＬＥＤ発光体及び放熱部を備える植物育成用ランプであって、
前記ＬＥＤ発光体は、基板、前記基板に設けられる複数のＬＥＤランプビーズを含み、前記ＬＥＤ発光体はスペクトルコントローラにより制御されて、規則的な各種パルス周期的スペクトル光信号を発生させ、前記ＬＥＤランプビーズは基板を介して前記放熱部に接続されることを特徴とする植物育成用ランプ。
【請求項２】
前記基板は前記放熱部の一端面に密着されていることを特徴とする請求項１に記載の植物育成用ランプ。
【請求項３】
前記放熱部は、中空構造を有する円柱部と前記円柱部の外周に分布している複数の放熱フィンとを含むことを特徴とする請求項１に記載の植物育成用ランプ。
【請求項４】
前記放熱フィンは分支状であることを特徴とする請求項3に記載の植物育成用ランプ。
【請求項５】
前記ランプ本体に複数の放熱孔が設けられることを特徴とする請求項１に記載の植物育成用ランプ。
【請求項６】
前記放熱孔は長尺状貫通孔であることを特徴とする請求項５に記載の植物育成用ランプ。
【請求項７】
前記基板はアルミ基板であることを特徴とする請求項１に記載の植物育成用ランプ。
【請求項８】
さらにフロントカバーを備え、
透明部材が前記フロントカバーによって前記ランプ本体の先端に設けられることを特徴とする請求項１−７のいずれか１項に記載の植物育成用ランプ。
【請求項９】
前記透明部材と前記フロントカバーとの接触面にシールリングが設けられることを特徴とする請求項８に記載の植物育成用ランプ。
【考案の詳細な説明】
【技術分野】
【０００１】
本考案は照明灯具の技術分野、特に植物育成用ランプに関する。
【背景技術】
【０００２】
光は緑色植物の光合成に必須なエネルギー源であり、光が照射される条件にしか、植物が正常に成長できず、植物の光合成とは、植物がクロロフィルを利用して日光を吸収して、二酸化炭素と水を用いて有機物を合成し、更に化学エネルギーに変換して貯蔵すると同時に、酸素ガスを放出し、光合成による炭水化物がさらに澱粉、脂肪等に転化されて、生命活動に用いることを意味し、要するに、光は植物にとって不可欠なものである。植物の成長を促進するために、温室又は室内に灯具が設置され、使用されるチューブの光照射の利用率が低く、植物の成長ニーズを満足できないため、植物の成長状況が悪くなる。植物を照射するときに、植物に必要なスペクトルを有する光を照射することによって、成長を促進するだけでなく、植物の品質を向上できる。
【０００３】
植物内に含まれる光合成色素、水分、生化学的組成及び構造等が植物特有のスペクトル反応に影響を与える。葉緑体におけるクロロフィルａ、クロロフィルｂ及びカロテノイドが日光中の可視部分を吸収でき、クロロフィルａとクロロフィルｂは赤色光領域と青色光領域を吸収し、カロテノイドは主に青色光領域を吸収する。健全な植物は赤色光領域と青色光領域での反射率が低い。植物の光合成は、葉緑体におけるクロロフィルが可視光として赤色光、オレンジ色光、黄色光、緑色光、青色光、紫色光のうちの赤色光及び青色光を吸収することから始まり、すべての光が植物の光合成に利用できるものではなく、有効な光は可視光領域に集中し、その中でも、赤色光と青色光は最も有効であり、クロロフィルはこの2種で大きな吸収値を有し、赤色光は植物による炭水化物の合成に寄与するとともに、長日植物の育成を促進し、青色光は短日植物の育成を促進するとともに、タンパク質と有機酸の合成を促進する。
【０００４】
従来技術では、使用されている一般的な電球、ナトリウムランプは、電気コストが高く、色温度が自然光とは差異があり、水銀ランプは生じた波長が３１３〜４３０ｎｍにあるため、赤色光を発生させず、ナトリウムランプは生じた波長が５６５ｎｍであるため、青色光を発生させず、従来の電球やナトリウムランプを用いて植物を照射する場合は、従来の照射光線に大量の赤色光や青色光を含まないことから、植物の成長効率が低い。
【０００５】
近年、ＬＥＤ植物育成用ランプは植物成長を促進する光源の１種として、植物成長の各段階に幅広く適用されており、現在、従来のＬＥＤ植物育成用ランプの製造プロセスが大幅に改良しているが、ＬＥＤ発光体の波長と異なる波長のＬＥＤ発光体の比率により制限されることにより、植物成長に対する促進速度が低く、効果が低く、さらに、作動過程に温度が高すぎるため、放熱体は光源の温度を効果的に放出できないことにより、灯具の光減衰が深刻になり、灯具全体の耐用年数に悪影響を及ぼす。
【考案の概要】
【考案が解決しようとする課題】
【０００６】
本考案が解決しようとする主な技術的問題は、光を照射することによって、植物の成長速度を大幅に向上させる植物育成用ランプを提供することにあり、本考案の別の目的は従来の植物育成用ランプの放熱性が悪く、耐用年数が短いという問題を解決することにある。
【課題を解決するための手段】
【０００７】
上記技術的問題を解決するために、本考案は下記技術案を採用する。
【０００８】
植物育成用ランプは、ランプ本体、前記ランプ本体内に設けられる駆動電源、ＬＥＤ発光体及び放熱部を備え、前記ＬＥＤ発光体は基板、前記基板に設けられる複数のＬＥＤランプビーズを含み、前記ＬＥＤ発光体はスペクトルコントローラにより制御されて、規則的な各種パルス周期的スペクトル光信号を発生させ、前記ＬＥＤランプビーズは基板を介して前記放熱部に接続される。
【０００９】
さらに、前記ＬＥＤ発光体は、前記スペクトルコントローラにより、赤色光；赤色光、緑色光、青色光；赤色光、オレンジ色光、黄色光、緑色光、水色光、青色光、紫色光；青色光、赤色光、赤色光、緑色光、青色光；赤色光、オレンジ色光、黄色光、緑色光、水色光、青色光、紫色光のように発光するように制御され、１つの走査周期が終了した後、全てを消灯して、再び上記パルス走査を繰り返す。
【００１０】
さらに、前記放熱部は、中空構造を有する円柱部と前記円柱部の外周に分布している複数の放熱フィンを含み、前記放熱フィンは分支状である。
【００１１】
さらに、前記ランプ本体に複数の放熱孔が設けられ、前記放熱孔は長尺状貫通孔である。
【００１２】
さらに、前記基板はアルミ基板であり、前記放熱部の一端面に密着されている。
【００１３】
さらに、前記植物育成用ランプはさらにフロントカバーを備え、透明部材が前記フロントカバーにより前記ランプ本体の先端に設けられ、前記透明部材と前記フロントカバーの接触面にシールリングが設けられる。
【考案の効果】
【００１４】
従来技術に比べて、本考案は下記有益な効果を有する。
【００１５】
本考案に係る新型ＬＥＤ植物育成用ランプは、スペクトルコントローラによりＬＥＤ発光体を制御して、規則的な各種パルス周期的スペクトル光信号を発生させるものであり、このようなスペクトルの設定及び合理的な照射周期により、植物の成長速度を大幅に促進でき、試験した結果、成長速度は正常な成長速度の５倍になり、効果が極めて高い。
【００１６】
本考案に係る新型ＬＥＤ植物育成用ランプは、ランプ本体に合理的な数の長尺状放熱孔を設置するとともに、放熱部の構造を改良することで、放熱性を大幅に向上させ、正常な動作を確保し、且つ、灯具の耐用年数を延長させる。
【図面の簡単な説明】
【００１７】
【図１】本考案の構造模式図である。
【図２】図１の断面図である。
【図３】一視点からの放熱部の部分構造模式図である。
【考案を実施するための形態】
【００１８】
以下、図面を用いて本考案の機構及び作動原理について詳細に説明し、本実施例を簡単に説明するために、図中、一部の部材を省略したり、拡大又は縮小したりする場合があり、製品の実際寸法を示すものではない。当業者であれば、図中の一部の周知構造及びその説明を省略しても理解できるものであり、同一又は類似した符号は同一又は類似した部材に対応する。
【００１９】
実施例１
図１、図２及び図３に示すように、本考案に係るＬＥＤ植物育成用ランプは、ランプ本体１、前記ランプ本体１内に設けられる駆動電源、ＬＥＤ発光体２及び放熱部３を備え、ＬＥＤ発光体２は基板４、基板４に設けられる複数のＬＥＤランプビーズを含み、ＬＥＤ発光体２はスペクトルコントローラにより制御されて、規則的な各種パルス周期的スペクトル光信号を発生させ、ＬＥＤランプビーズは基板４を介して放熱部３に接続される。ＬＥＤ発光体２は、スペクトルコントローラにより、赤色光（０．４秒）→赤色光、緑色光、青色光（０．４秒）→赤色光、オレンジ色光、黄色光、緑色光、水色光、青色光、紫色光（０．４秒）→青色光（０．４秒）→赤色光（０．４秒）→赤色光、緑色光、青色光（０．４秒）→赤色光、オレンジ色光、黄色光、緑色光、水色光、青色光、紫色光（０．４秒）のように発光するように制御され、このような順に変化して異なる光線を交差したり組み合わせたりするように発生させ、１つの走査周期が終了した後、全てを消灯し（０．８秒）、光反応と暗反応の周期時間を形成し、１パルスのスペクトルサイクル３．６秒が経過した後、上記パルス走査過程を繰り返す。ＬＥＤ発光体２は、上記の順に赤色光、緑色光、青色光の信号及び組み合わせた光信号を発生させて植物を照射することで、植物の高速成長を効果的に促進するという目的を達成させ、このようなスペクトルの設定及び合理的な照射周期により、植物の成長速度を大幅に促進でき、試験した結果、成長速度は正常な成長速度の５倍になり、効果が極めて高い。放熱部３は、中空構造を有する円柱部３１を有するため、熱伝達に有利であり、さらに放熱効率を向上させ、前記円柱部３１の外周に分布している複数の放熱フィン３２は分支状であり、このような分支構造は放熱部３の表面積を大幅に増加して、且つ中間にある隙間がダクトとなり、熱の放出に役立ち、ランプ本体には長尺状貫通孔である放熱孔５が複数設けられていることから、灯具の内部熱の排出効率を大幅に向上させる。放熱性に優れたアルミニウム材料で基板を製造し、且つ基板４を前記放熱部３の一端面に密着させるように設置することによって、両方に良好な熱伝達を付与する。植物育成用ランプはさらにフロントカバー６を備え、透明部材がフロントカバー６により前記ランプ本体１の先端に設けられ、透明部材７は灯具の内部部材を保護する一方、灯具の内部光源に対して配光機能を有し、耐用性を確保するために、透明部材７は強化透明ガラスで製造されてもよい。透明部材７とフロントカバーとの接触面に考案の作用を果たして、灯具に対する保護を向上させるシールリングが設けられる。
【００２０】
本考案の応用例
試験１
収穫した１２株の芥藍について農業産業標準ＮＹ／Ｔ４２８−２０００、ＮＹ５１９３−２００２に準じて官能検査を行い、合格するものを４群に分けて、１群に３株を割り当てて、１群を白熱灯が取り付けられた暗室に入れて、１群を自然光又はガラス温室内に容れて、1群を一般的な植物育成用ランプが取り付けられた装置に入れて、１群を上記植物育成用ランプが取り付けられた装置に入れて、光信号照射を行い、４群の芥藍サンブルに対しては、光照射条件以外、水、空気（２５°）、湿度（８５％）等の条件を完全に同じにし、処理過程に、６時間おきに芥藍サンプルの成長状態を観察して、４８時間後の検査結果から明らかなように、（ａ）白熱灯により照射された芥藍は、枯れて萎み、（ｂ）自然光条件では芥藍は正常に１ｃｍ成長し、（ｃ）一般的な植物育成用ランプで照射された芥藍は３ｃｍ成長し、（ｄ）本考案に係る植物育成用ランプで照射された芥藍は５ｃｍ成長し、且つ作柄がよく、葉が緑色で光沢がある。
【００２１】
試験結果
本考案に係る植物育成用ランプを用いた試験群の芥藍は、成長効果がほかの対照群より良好であり、このようなスペクトルの設定及び合理的な照射周期により、植物の成長速度を大幅に促進でき、該試験から明らかなように、成長速度は正常な成長速度の５倍になり、効果が極めて高い。
【００２２】
勿論、本考案の上記実施例は本考案を明瞭に説明するための例示に過ぎず、本考案の実施形態を限定するものではなく、業者であれば、上記説明に基づいてほかの変化又は修正を実施することができ、ここで一部の実施形態を例にするだけである。本考案の精神や原則を脱逸せずに実施される修正、等同置換や改良等はいずれも本考案の特許請求の範囲の保護範囲に属する。
【符号の説明】
【００２３】
１．ランプ本体
２．ＬＥＤ発光体
３．放熱部
３１．円柱部
３２．放熱フィン
４．基板
５．放熱孔
６．フロントカバー
７．透明部材。
【図１】
0003215503.tif 000003
【図２】
0003215503.tif 000004
【図３】
0003215503.tif 000005